(57)【要約】  上顎洞底挙上器具であって、長手方向に延在する把手部（１２）と、把手部（１２）から長手方向に延在する斜めの首部（１８）と、斜めの首部（１８）から延在するディスク状先端部（２１）と、を含む上顎洞底挙上器具。
2010537714.tif 000002
【特許請求の範囲】
【請求項１】
上顎洞底挙上器具であって、
長手方向に延在する把手部（１２）と、
前記把手部（１２）から長手方向に延在する斜めの首部（１８）と、
前記斜めの首部（１８）から延在するディスク状先端部（２１）と、
を含む上顎洞底挙上器具。
【請求項２】
前記端部（２１）から延在する斜めの首部（１８）の屈曲部（１９）をさらに含む請求項１に記載の器具。
【請求項３】
前記把手部（１２）が、前記器具（１０）の長手方向軸（１４）に沿って、上方に延在する上方接続部（１６）を含み、前記斜めの首部（１８）と接続し、支持する前記上方接続部（１６）の上方端部（１７）を含む、請求項２に記載の器具。
【請求項４】
前記斜めの首部（１８）が、前記器具の長手方向軸（１４）と鈍角をなす軸（３２）に沿って、前記上方接続部（１６）から上方に延在する、請求項３に記載の器具。
【請求項５】
前記斜めの首部（１８）の前記軸が、前記器具軸（１４）と約１２０度の鈍角をなす、請求項４に記載の器具。
【請求項６】
前記斜めの首部（１８）の前記屈曲部（１９）が、前記斜めの首部（１８）の前記軸（３２）と鈍角をなす軸（３４）に沿って、長手方向上方に延在する、請求項４に記載の器具。
【請求項７】
前記屈曲部（１９）の前記軸（３４）が前記斜めの首部の前記軸（３２）と約１２０度の鈍角をなす、請求項６に記載の器具。
【請求項８】
前記ディスク状先端部（２１）が、前記屈曲部の前記軸（３４）と鈍角をなす軸（３６）に沿って、前記屈曲部（１９）から後方に延在する下方面（３５）を有する、請求項２に記載の器具。
【請求項９】
前記ディスク状先端部（２１）の前記下方面（３５）の前記軸（３６）は、前記屈曲部（１９）の前記軸（３４）と約１１０度の鈍角をなす、請求項８に記載の器具。
【請求項１０】
前記ディスク状先端部（２１）の前記下方面（３５）は、実質的に平坦であり、かつ前記下方面の平面において実質的に丸く、一方の前記ディスク状先端部（２１）の上方面（３８）は、滑らかな実質的に凹面形状を有して、上方に彎曲している、請求項８に記載の器具。
【請求項１１】
前記斜めの首部（１８）の前記屈曲部（１９）が、一連の等間隔の印（４０）を有し、前記印は、患者の上顎洞底から上顎洞底粘膜を持ち上げ、水平剥離する際に、前記器具が上顎洞底のポケットに入り込んだ距離を使用者に示す、請求項２に記載の器具。
【発明の詳細な説明】
【背景技術】
【０００１】
本発明は、２００６年１２月３１日出願の特許仮出願第６０／８８２，９４０号に基づくものである。また、本発明は、２００７年８月２８日に出願された、「歯科手順におけるサイナスリフトを促進するためのインターナル・サイナス・マニュピュレーション（ＩＳＭ）手順」（Internal Sinus Manipulation (ISM) Procedure For Facilitating Sinus Floor Augmentation In Dental Procedures, Docket 07JY-1）の米国特許第１１／８９５，８２３号に記載された事項に基づくものである。
【発明の概要】
【発明が解決しようとする課題】
【０００２】
上記米国特許出願に記載されているように、記載された処置および次の方法が存在する。すなわち、患者の上顎洞底（sinus floor）につながる骨の上方経路を形成する間、同時かつ制御された、上顎洞底から上顎洞底粘膜の露出された部分を持ち上げ、水平剥離（lateral separation）し、上顎洞底と上顎洞底粘膜の間に開放ポケット（open pocket）を形成する方法である。このようなサイナスポケット形成は、上顎洞底挙上具、あるいは器具を使用することにより達成される。本発明は上記器具の好ましい形成を意図するものである。
【課題を解決するための手段】
【０００３】
本発明の上顎洞底挙上器具は、ディスク状先端部および、器具の把手部から長手方向に延在する斜めの首部を含む。ディスク状先端部は、上顎洞底の骨壁から上顎洞底粘膜を剥離するよう設計されている。斜めの首部は、作業先端部の適切な位置決めを促進するよう設計されている。作業先端部から延在する斜めの首部の屈曲部は、臨床医が顎洞底粘膜の張力を感知することを可能にし、かつ初期の水平及び垂直の膜の影響の量を決定することを可能とする。
【０００４】
同時に出願された米国特許出願の図３において、器具の輪郭が実線、点線、破線で示されるように、上顎洞底のポケットの形成において、先端部が上顎洞底から膜を持ち上げて水平分離してポケットを形成し、拡大しながら、器具は持ち上げられ、垂直方向に延在する軸において裏返される。同時に膜を水平に開放し持ち上げるこの手順は、予定された上顎洞拡張の量が達成されるまで継続され、小さな空隙が画成される。
【図面の簡単な説明】
【０００５】
【図１】把手部の対向する端部から延在する斜めの首部およびディスク状先端部を有し、中心軸において延在する把手部を含む、好ましい上顎洞底挙上器具の斜視図を示す。
【図２】上方の斜めの首部およびディスク状先端部であり、図１に示された器具の上端部の拡大された部分前面図を示す。
【図３】下方の斜めの首部およびディスク状先端部であり、図１に示された器具の下端部の拡大された部分前面図を示す。
【図４】図２に表された上方のディスク状先端部のさらに拡大された部分側面図を示す。
【発明を実施するための形態】
【０００６】
図１に示されるように、本発明の上顎洞底挙上器具１０は、器具の長手方向軸１４において長手方向に延在する細長い中心把手部１２を有する。中心把手部１２の上端部１５に接続されかつ長手方向に延在する、上方裁頭円錐形接続部分１６は軸１４において長手方向に延在し、その上端部１７において、屈曲部１９を有する上方の斜めの首部１８を支持する。屈曲部１９の上端部２０は、ディスク状先端部２１を支持する。中心把手部１２の下端部２２に接続されかつ長手方向に延在する、下方裁頭円錐形接続部分２３は軸１４において長手方向に延在し、その下端部２４において、屈曲部２６を有する下方の斜めの首部２５を支持する。屈曲部２６の下端部２８は、下方のディスク状先端部３０を支持する。
【０００７】
図２に示されるように、上方接続部分１６は、器具の軸１４に沿って長手方向上方に延在し、その上端部１７において、斜めの首部１８に接続されかつ支持する。その接続部から部分１６まで、斜めの首部１８は、軸１４と鈍角をなす軸３２に沿って、上方に延在する。図２に示されるように、軸３２は、軸１４と約１２０度の鈍角をなす。同様に、図２に示されるように、軸３２と好ましくは約１２０度の鈍角をなす軸３４に沿って、斜めの首部１８の屈曲部１９も長手方向上方に延在する。そして、屈曲部１９の上端部２０は、ディスク状先端部２１を支持する。
【０００８】
図４にもっとも明らかに示されるように、ディスク状先端部２１の下方面３５は、屈曲部の軸３４と、好ましくは約１１０度の鈍角をなす軸３６に沿って、屈曲部１９から後方に延在する。図１および２に示されるように、ディスク状先端部２１の下方面３５は、平坦であり、さらに、下方面の平面において実質的に丸く、一方の先端部２１の上方面３８は、上方に彎曲しており、滑らかな実質的に凹面形状を有し、約１．８ｍｍの直径である。
【０００９】
同様に、図４にもっとも明らかに示されるように、斜めの首部１８の屈曲部１９は、一連の等間隔の印４０を有し、この印は、器具１０を使用して上顎洞底のポケットを形成する間に、上顎洞底から上顎洞底粘膜を持ち上げ、水平剥離する際に、器具１０が入り込んだ距離を使用者に示す。その点において、図１に示されるように、器具１０の上方端部は、上顎洞底粘膜につながる骨の経路の上方端部を貫通し、ディスク状先端部２１の彎曲上方面３８は、斜めの首部１８と係合し、組み合わされたその屈曲部１９は患者の上顎洞底から上顎洞底粘膜を穏やかに持ち上げる。上顎洞底のポケット内の器具１０の水平移動によって、ディスク状先端部は、上顎洞底からより多くの上顎洞底粘膜を穏やかに持ち上げ、水平方向において上顎洞底のポケットを拡大する。上顎洞底のポケット内の器具１０の上方移動によって、ディスク状先端部２１の彎曲上方面３８はさらに上顎洞底粘膜を持ち上げ、所望の大きさ及び形状まで上顎洞底のポケットを拡大する。
【００１０】
図１に示される器具１０が反転されると、斜めの首部２５と組み合わさる下方ディスク状先端部３０の彎曲面およびその屈曲部２６は、上顎洞底から上顎洞底粘膜を穏やかに持ち上げ、水平方向において剥離し、所望の大きさ及び形状まで上顎洞底のポケットを形成し拡大する同一の機能を提供する。その点において、図３を特に参照すると、図３に示される器具１０の下方の形状及び寸法は、図２に示されるものに従う。特に、下方接続部２３は下方で、器具の軸１４に沿って長手方向に延在し、その下方端部２４は、斜めの首部２５と接続し、かつ支持する。この接続から部分２３まで、斜めの首部２５は、軸１４と鈍角をなす軸４２に沿って下方に延在する。図３に示されるように、軸４２は、好ましくは軸１４と約１２０度の鈍角をなす。同様に、図３に示されるように、斜めの首部２５の屈曲部２６は、軸４２と好ましくは約１２０度の鈍角をなす軸４４に沿って、長手方向下方にも延在する。これによって、屈曲部２６の下方端部２８はディスク状先端部３０を支持する。
【００１１】
器具１０の上方部分に関して表されている図４にもっとも明らかに示されるように、器具１０が反転されると、ディスク状先端部３０の下方面は、屈曲部２６の軸４４と、好ましくは約１１０度の鈍角をなす軸に沿って、屈曲部２６から後方に延在する。図１および３に示されるように、ディスク状先端部３０の下方面４６は、平坦であり、さらに、下方面の平面において実質的に丸く、一方の先端部３０の上方面は、上方に彎曲しており、滑らかな実質的に凹面形状を有し、約１．８ｍｍの直径である。
【００１２】
上顎洞底挙上器具の特に好ましい実施態様を上記のように説明したが、本発明の精神から離れることなく、記載された実施態様を変化させ、修正することが可能であることを理解されたい。したがって、本発明の範囲は、添付の特許請求の範囲の文言のみによって規定される。
【図１】
2010537714.tif 000003
【図２】
2010537714.tif 000004
【図３】
2010537714.tif 000005
【図４】
2010537714.tif 000006
【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
歯科患者の上顎洞の骨底と上顎洞底粘膜の持ち上げられた部分の間の上顎洞骨のインターナル・サイナス・マニュピュレーション手順において、前記骨底と前記上顎洞底粘膜の間で、前記患者の上顎後方域の骨の内部に形成された上方経路内で使用する上顎洞底挙上器具であって、
前記上方経路内で上方に適合する寸法の長手方向に延在する把手部（１２）と、
前記把手部（１２）から鈍角で長手方向上方に延在する斜めの首部（１８）であって、前記斜めの首部（１８）から鈍角で上方に延在する屈曲部（１９）を含む前記斜めの首部（１８）と、
前記斜めの首部（１８）の屈曲部（１９）から鈍角で後方に延在し、前記骨の経路内で前記把手部（１２）の向きを変えることで上顎洞底粘膜と係合し、同時に持ち上げ、前記上顎洞底から水平方向に剥離して、前記上顎洞底と前記膜の間で制御された形状の骨形成材を受け入れるポケットを形成する上方に彎曲する上方面を含むディスク状先端部（２１）と、
を含む上顎洞底挙上器具。
【請求項２】
前記把手部（１２）が、前記器具（１０）の長手方向軸（１４）に沿って、上方に延在する上方接続部（１６）を含み、前記斜めの首部（１８）と接続し、支持する前記上方接続部（１６）の上方端部（１７）を含む、請求項１に記載の器具。
【請求項３】
前記斜めの首部（１８）が、前記器具の長手方向軸（１４）と鈍角をなす軸（３２）に沿って、前記上方接続部（１６）から上方に延在する、請求項２に記載の器具。
【請求項４】
前記斜めの首部（１８）の前記軸が、前記器具軸（１４）と約１２０度の鈍角をなす、請求項３に記載の器具。
【請求項５】
前記斜めの首部（１８）の前記屈曲部（１９）が、前記斜めの首部の前記軸（３２）と鈍角をなす軸（３４）に沿って、長手方向上方に延在する、請求項３に記載の器具。
【請求項６】
前記屈曲部（１９）の前記軸（３４）が前記斜めの首部（１８）の前記軸（３２）と約１２０度の鈍角をなす、請求項５に記載の器具。
【請求項７】
前記ディスク状先端部（２１）が、前記屈曲部の前記軸（３４）と鈍角をなす軸（３６）に沿って、前記屈曲部（１９）から後方に延在する下方面（３５）を有する、請求項１に記載の器具。
【請求項８】
前記ディスク状先端部（２１）の前記下方面（３５）の前記軸（３６）は、前記屈曲部（１９）の前記軸（３４）と約１１０度の鈍角をなす、請求項７に記載の器具。
【請求項９】
前記ディスク状先端部（２１）の前記下方面（３５）は、実質的に平坦であり、かつ前記下方面の平面において実質的に丸く、一方の前記ディスク状先端部（２１）の上方面（３８）は、滑らかな実質的に凹面形状を有して、上方に彎曲している、請求項７に記載の器具。
【請求項１０】
前記斜めの首部（１８）の前記屈曲部（１９）が、一連の等間隔の印（４０）を有し、前記印は、患者の上顎洞底から上顎洞底粘膜を持ち上げ、水平剥離する際に、前記器具が上顎洞底のポケットに入り込んだ距離を使用者に示す、請求項１に記載の器具。
【国際調査報告】
2010537714.tif 000007